(57)【要約】【課題】締付力に優れたコレットチャックを提供する。【解決手段】工具が挿入される差込口を有し、外側にタッパー本体方向に向かって外径が拡大するテーパ部が形成され、内側または外側の円周方向に溝が形成されたテーパチャック部と、テーパチャック部に外装され、筒状で内側がテーパ部に係合するテーパスリーブと、テーパスリーブに外装され、テーパチャック部に螺合して取り付けられ、回転によってテーパスリーブを軸方向に移動させるナットと、テーパスリーブとナットの間に設けられた円周方向に伸びる環状の凹部に装填される鋼球と、が備えられる。【選択図】図１
2011189447.tif 000002
【特許請求の範囲】
【請求項１】
工具が挿入される差込口を有し、外側にタッパー本体方向に向かって外径が拡大するテーパ部が形成され、内側または外側の円周方向に溝が形成されたテーパチャック部と、
前記テーパチャック部に外装され、筒状で内側が前記テーパ部に係合するテーパスリーブと、
前記テーパスリーブに外装され、前記テーパチャック部に螺合して取り付けられ、回転によって前記テーパスリーブを軸方向に移動させるナットと、
前記テーパスリーブと前記ナットの間に設けられた円周方向に伸びる環状の凹部に装填される鋼球と、が備えられることを特徴とするコレットチャック。
【請求項２】
前記テーパチャック部には、前記差込口の周囲を複数に分割して軸方向に伸びる切り込みが設けられることを特徴とする請求項１に記載のコレットチャック。
【請求項３】
前記ナットの前記凹部は、断面がＶ字形状であることを特徴とする請求項１に記載のコレットチャック。
【発明の詳細な説明】
【技術分野】
【０００１】
本発明は、コレットチャックに係り、より詳しくは、工具を把持する締付力を向上させたコレットチャックに関する。
【背景技術】
【０００２】
一般にネジ切り等の工具は、タッパー本体のコレットチャックに挿入され、外側から締め付けられてコレットチャックに固定される。タッパー本体は、工作機械の主軸に取り付けられる。工作機械の主軸が高速に回転されると、遠心力によってコレットチャックが径方向に拡大することや、被加工物を加工する際の振動などによって締付力が弱くなる。締付力が弱くなると、加工精度が低下するので、コレットチャックの締付力を向上させることが望まれている。
【０００３】
特許文献１に示すように、コレットチャックは、チャック筒の内側に工具の軸が嵌め込まれる円筒状のテーパコレットを有する。テーパコレットを外側から締付けナットで締め付けることにより工具を固定する。テーパコレットは、工具が差し込まれる入口付近が肉厚であるから、締付けナットで締め付けても、締め付けが十分でないとの問題がある。
【先行技術文献】
【特許文献】
【０００４】
【特許文献１】実用新案公開平７−２７７１２号公報
【発明の概要】
【発明が解決しようとする課題】
【０００５】
本発明の目的は、締付力に優れたコレットチャックを提供することにある。
【課題を解決するための手段】
【０００６】
本発明によるコレットチャックは、工具が挿入される差込口を有し、外側にタッパー本体方向に向かって外径が拡大するテーパ部が形成され、内側または外側の円周方向に溝が形成されたテーパチャック部と、前記テーパチャック部に外装され、筒状で内側が前記テーパ部に係合するテーパスリーブと、前記テーパスリーブに外装され、前記テーパチャック部に螺合して取り付けられ、回転によって前記テーパスリーブを軸方向に移動させるナットと、前記テーパスリーブと前記ナットの間に設けられた円周方向に伸びる環状の凹部に装填される鋼球と、が備えられることを特徴とする。
【０００７】
前記テーパチャック部には、前記差込口の周囲を複数に分割して軸方向に伸びる切り込みが設けられることを特徴とする。
【０００８】
前記ナットの前記凹部は、断面がＶ字形状であることを特徴とする。
【発明の効果】
【０００９】
本発明によるコレットチャックによれば、テーパチャック部の内側または外側の円周方向に溝を設けたので、肉厚が薄くなり差込口側が弾性変形しやすくなり、テーパチャック部を工具に密着して締め付けることができる。また、テーパ部は差込口側を主軸側よりも肉薄としたので、工具を確実に締め付けることができる。テーパスリーブをナットで主軸方向に移動させれば、締付力を強くでき、逆にテーパスリーブを差込口方向に移動させれば締付力を弱くできる。
【００１０】
テーパチャック部に、差込口の周囲を複数に分割して軸方向に伸びる切り込みを設けたので、内側もしくは外側の円周方向に設けた溝と合わせてテーパチャック部を弾性変形させてたわみやすくできる。これによりテーパチャック部の締付力をさらに強化できる。
【００１１】
テーパスリーブとナットの間に鋼球を設けたので、ナットを回転するとテーパスリーブを軸方向に移動できる。この時、ナットに設けられる凹部の断面をＶ字形状としたので、鋼球とナットの接触面積が小さくして摩擦抵抗を減らすことができる。すなわちナットの回転を容易にできる。
【図面の簡単な説明】
【００１２】
【図１】本発明によるコレットチャックの概要図である。
【図２】図１のテーパチャック部をＡ方向から見た正面図である。
【図３】一般的な工具の一端を示す斜視図である。
【発明を実施するための形態】
【００１３】
以下、本発明のコレットチャックについて、図面を参照して詳しく説明する。
【実施例】
【００１４】
図１は、本発明によるコレットチャックの概要図である。図１に示すように、コレットチャック１は、ヘッド部１６がタッパー本体１４に連結され、筒状のテーパチャック部２に差込口１３から工具３が挿入され、外側から締め付けて工具３を固定する。テーパチャック部２には、外側にタッパー本体１４方向に向かって外径が拡大するテーパ部１０が形成される。また、テーパチャック部２には、内側または外側に円周方向に伸びる溝７が形成される。本実施例では内側と外側の両方に溝を設けた。テーパスリーブ４は筒状で、テーパチャック部２に外装され、内側がテーパチャック部２のテーパ部１０に係合する。ナット５は、テーパスリーブ４に外装され、テーパチャック部２に螺合して取り付けられる。ナット５は、回転によってテーパスリーブ４を軸方向に移動させるものである。このため、テーパスリーブ４とナット５の間には、円周方向に伸びる環状の凹部１１、１２がそれぞれ対向するように設けられ、凹部１１、１２に鋼球９が装填される。
【００１５】
図１に示すように、テーパチャック部２とテーパスリーブ４の間のテーパ部１０は、角度が１〜２０度の傾斜角度でタッパー本体１４の方向に向かって径が拡大し、差込口１３の方向に向かって径が縮小する。
【００１６】
テーパチャック部２の溝７は、例えば半円形、Ｕ字形、Ｖ字形など凹状断面とすることができる。溝７の深さはここではテーパチャック部２の肉厚の１／４の深さとした。これに限らず溝７の深さを肉厚の１／１０〜９／１０としてもよい。溝７の幅は０．５ｍｍ以上が望ましく、ここでは０．８ｍｍとした。溝７の形成位置は、工具の直径をＤとした場合、差込口１３からタッパー本体１４の方向に向かって２Ｄの位置とした。溝７の位置は１〜５Ｄの範囲とすることができる。溝７は、内周または外周に設けられる。ここでは内周と外周の両方に設けた。溝７は、テーパチャック部２のテーパ部１０の弾性変形を容易にするので、工具３を押圧して強く把持することができる。
【００１７】
テーパスリーブ４の凹部１１は、半円形状とした。ナット５の凹部１２は、Ｖ字形状とした。凹部１２の形状をＶ字形状としたので、接触面積が小さく、ナット５の回転を容易にできる。鋼球９はナット５の一側の孔から投入される。孔は、例えば鋼球２０個が投入された後、封止ネジ１５で閉じられる。
【００１８】
テーパチャック部２の上部には、角穴部６が一体成形される。角穴部６には工具の角形ヘッド３ａ（図３参照）が挿入される。これにより、トルクの伝達性能が向上できる。角穴部６は角形の貫通孔としたが、底付きの穴でもでもよい。
【００１９】
ナット５を一方に回転させると、ナット５はテーパチャック部２に螺合しているので、ナット５が例えばタッパー本体１４の方向に移動する。これにより鋼球９も移動される。鋼球９の移動によりテーパスリーブ４もタッパー本体１４の方向に移動される。これによりテーパスリーブ４のテーパ部１０がテーパチャック部２を押圧して締め付ける。このようにして、工具３がテーパチャック部２に固定できる。ナット５を他方に回転させると、締め付けを緩めることができる。
【００２０】
図２は、図１のテーパチャック部をＡ方向から見た正面図である。テーパチャック部２は、差込口１３の円周方向に３分割された切り込み８を有する。分割は３分割に限らず２〜６分割にできる。切り込み８の軸方向の長さは、差込口１３から約３Ｄとした。切り込み８の軸方向の長さは１〜５Ｄ（Ｄは工具の径）とすることができる。切り込み８を設けたので、テーパチャック部２が弾性変形してたわみやすくなり、工具の軸３ｂ（図３参照）を確実に把持することができる。
【００２１】
本実施例では、コレットチャック１の全長が６２ｍｍ、ナット５の外径が２６ｍｍ、鋼球９の直径が３ｍｍである。
【産業上の利用可能性】
【００２２】
本発明によれば、締付力の強いコレットチャックとして好適である。
【符号の説明】
【００２３】
１    コレットチャック
２    テーパチャック部
３    工具
３ａ    角形ヘッド
３ｂ    軸
４    テーパスリーブ
５    ナット
６    角穴部
７    溝
８    切り込み
９    鋼球
１０    テーパ部
１１    凹部（テーパスリーブ側）
１２    凹部（ナット側）
１３    差込口
１４    タッパー本体
１５    封止ネジ
１６    ヘッド部
【図１】
2011189447.tif 000003
【図２】
2011189447.tif 000004
【図３】
2011189447.tif 000005